(57)【要約】【課題】複数のＩＣタグ付き物品をリーダライタに対して読み取り可能な位置、姿勢に保持できるケースを提供すること。【解決手段】第１アンテナＡＴ１を有するＩＣタグ付き物品３０を、リーダライタ２０の第２アンテナＡＴ２と通信可能に保持するケース１０であって、少なくともリーダライタ２０と対向する底面が曲面形状に構成され、複数のＩＣタグ付き物品３０を、それぞれの第１アンテナＡＴ１がリーダライタ２０の第２アンテナＡＴ２に対して略平行となるように保持する収納部１３を備える。【選択図】図１
2020077114.tif 000002
【特許請求の範囲】
【請求項１】
第１アンテナを有するＩＣタグ付き物品を、リーダライタの第２アンテナと通信可能に保持するケースであって、
少なくとも前記リーダライタと対向する底面が曲面形状に構成され、
複数の前記ＩＣタグ付き物品を、それぞれの前記第１アンテナが前記リーダライタの前記第２アンテナに対して略平行となるように保持する収納部を備えるケース。
【請求項２】
請求項１に記載のケースにおいて、
前記ケースは、球体形状又は楕円体形状であるケース。
【請求項３】
請求項２に記載のケースにおいて、
前記収納部は、前記ケースの底面側に設けられるケース。
【請求項４】
請求項１から請求項３までのいずれか一項に記載のケースにおいて、
前記収納部は、複数の前記ＩＣタグ付き物品を、それぞれの前記第１アンテナが所定の間隔で並ぶように保持する複数の差し込み溝を有するケース。
【請求項５】
請求項１から請求項４までのいずれか一項に記載のケースにおいて、
複数の前記ＩＣタグ付き物品のそれぞれの前記第１アンテナが前記リーダライタの前記第２アンテナに対して略平行となるように、前記ケースの姿勢を調整する姿勢調整部材を備えるケース。
【請求項６】
請求項１から請求項５までのいずれか一項に記載のケースにおいて、
前記ケースを識別するための識別情報記憶部を備えるケース。
【請求項７】
請求項１から請求項６までのいずれか一項に記載のケースと、
前記ケースに保持された複数の前記ＩＣタグ付き物品のそれぞれの前記第１アンテナと通信可能な前記第２アンテナを有するリーダライタと、
を備える読み取り装置。
【発明の詳細な説明】
【技術分野】
【０００１】
本発明は、ＩＣタグ付き物品が収納されるケース及び前記ケースに収納されたＩＣタグ付き物品から情報を読み取る、読み取り装置に関する。
【背景技術】
【０００２】
ＩＣタグに記憶された情報をリーダライタにより非接触で読み取るＩＣタグシステムは、主にセキュリティ管理や物流・流通管理等の分野で用いられている。近年では、ゲーム用のアイテムとして、ＩＣタグ付き玩具（以下、「ＩＣタグ付き物品」ともいう）が開発されている。ＩＣタグ付き物品に記憶された情報をリーダライタで読み取るには、リーダライタのループアンテナに対してＩＣタグ付き物品の姿勢を水平に保つ必要がある。従来、ＩＣタグがどのような姿勢であっても情報の読み取りができるようにしたシステムが提案されている（例えば、特許文献１参照）。また、通信特性を向上させるために、液体やジャイロ機構を用いて球体内のＩＣタグをリーダライタのループアンテナに対して水平に保つように構成されたＩＣタグが提案されている（例えば、特許文献２参照）。
【先行技術文献】
【特許文献】
【０００３】
【特許文献１】特開２０１６−９９８０号公報
【特許文献１】特開２００９−２３０４９１号公報
【発明の概要】
【発明が解決しようとする課題】
【０００４】
一般的なリーダライタでは、ループアンテナの内側においてＩＣタグから情報の読み取りが可能となる。しかし、ループアンテナの外側にＩＣタグが置かれていたり、ループアンテナに対してＩＣタグが傾いていたりすると、情報の読み取りができない場合がある。ゲーム用のアイテムとしてのＩＣタグ付き物品は、主に子供の遊戯用として使用される。そのことを考慮すると、特許文献１のシステムにおいて、遊技者が複数のＩＣタグ付き物品から情報を読み取らせようとした場合に、一部のＩＣタグ付き物品が、ループアンテナに対して読み取り可能な位置、姿勢にならない状況も考えられる。また、特許文献２に記載の液体やジャイロ機構を用いたＩＣタグは、球体の内部に一つのＩＣタグを密閉する構造であるため、複数のＩＣタグ付き物品を収納することは考慮されていない。
【０００５】
本発明の目的は、複数のＩＣタグ付き物品をリーダライタに対して読み取り可能な位置、姿勢に保持できるケース及び読み取り装置を提供することにある。
【課題を解決するための手段】
【０００６】
本発明は、以下のような解決手段により、課題を解決する。なお、理解を容易にするために、本発明の実施形態に対応する符号を付して説明するが、これに限定されるものではない。また、符号を付して説明した構成は、適宜に改良してもよく、また、少なくとも一部を他の構成物に代替してもよい。
【０００７】
第１の発明は、第１アンテナ（ＡＴ１）を有するＩＣタグ付き物品（３０）を、リーダライタ（２０）の第２アンテナ（ＡＴ２）と通信可能に保持するケース（１０）であって、少なくとも前記リーダライタと対向する底面（１１ｂ）が曲面形状に構成され、複数の前記ＩＣタグ付き物品を、それぞれの前記第１アンテナが前記リーダライタの前記第２アンテナに対して略平行となるように保持する収納部（１３）を備えるケースに関する。
【０００８】
第２の発明は、第１の発明に係るケースにおいて、前記ケースは、球体形状又は楕円体形状である。
【０００９】
第３の発明は、第２の発明に係るケースにおいて、前記収納部は、前記ケースの底面側に設けられる。
【００１０】
第４の発明は、第１から第３までのいずれかの発明に係るケースにおいて、前記収納部は、複数の前記ＩＣタグ付き物品を、それぞれの前記第１アンテナが所定の間隔で並ぶように保持する複数の差し込み溝（１５）を有する。
【００１１】
第５の発明は、第１から第４までのいずれかの発明に係るケースにおいて、複数の前記ＩＣタグ付き物品のそれぞれの前記第１アンテナが前記リーダライタの前記第２アンテナに対して略平行となるように、前記ケースの姿勢を調整する姿勢調整部材（１６）を備える。
【００１２】
第６の発明は、第１から第５までのいずれかの発明に係るケースにおいて、前記ケースを識別するための識別情報記憶部（１４）を備える。
【００１３】
第７の発明は、第１から第６までのいずれかの発明に係るケースと、前記ケースに保持された複数の前記ＩＣタグ付き物品のそれぞれの前記第１アンテナと通信可能な前記第２アンテナを有するリーダライタと、を備える読み取り装置（１）に関する。
【発明の効果】
【００１４】
本発明に係るケース及び読み取り装置によれば、複数のＩＣタグ付き物品をリーダライタに対して読み取り可能な位置、姿勢に保持できる。
【図面の簡単な説明】
【００１５】
【図１】第１実施形態における読み取り装置１の斜視図である。
【図２】（Ａ）及び（Ｂ）は、読み取り装置１を構成するケース１０及びリーダライタ２０の側面図である。
【図３】（Ａ）〜（Ｃ）は、読み取り装置１にＩＣタグ付き玩具３０を収納する手順を説明する図である。
【図４】第２実施形態における読み取り装置１Ａの斜視図である。
【図５】（Ａ）〜（Ｃ）は、読み取り装置１Ａを構成するケース１０及びリーダライタ２０の側面図である。
【図６】（Ａ）及び（Ｂ）は、読み取り装置１ＡにＩＣタグ付き玩具３０を収納する手順を説明する図である。
【発明を実施するための形態】
【００１６】
以下、本発明の実施形態について説明する。
本明細書に添付した図面は、いずれも模式図であり、理解しやすさ等を考慮して、各部の形状、縮尺、縦横の寸法比等を、実物から変更又は誇張している。また、図面においては、部材の断面を示すハッチングを適宜に省略する。
本明細書等において、形状、幾何学的条件、これらの程度を特定する用語、例えば、「平行」、「直交」、「方向」等の用語については、その用語の厳密な意味に加えて、ほぼ平行、ほぼ直交等とみなせる程度の範囲、概ねその方向とみなせる範囲を含む。
【００１７】
また、本明細書等においては、ケース１０を図１のようにリーダライタ２０の上に載せた状態において、水平方向をＸ方向とし、これと直交する方向をＹ方向とする。ここでは、説明の便宜上、Ｘ方向を水平方向とするため、Ｙ方向は、上下方向（鉛直方向）となる。Ｙ方向においては、上方向をＹ１方向とし、下方向をＹ２方向とする。なお、本明細書においては、「方向」を適宜に「側」ともいう。
【００１８】
（第１実施形態）
図１は、第１実施形態における読み取り装置１の斜視図である。図２（Ａ）及び（Ｂ）は、読み取り装置１を構成するケース１０及びリーダライタ２０の側面図である。図２（Ａ）は、ケース１０にＩＣタグ付き玩具３０を収納する前の状態を示している。図２（Ｂ）は、ケース１０にＩＣタグ付き玩具３０を収納した状態を示している。図３（Ａ）〜（Ｃ）は、読み取り装置１にＩＣタグ付き玩具３０を収納する手順を説明する図である。
【００１９】
第１実施形態の読み取り装置１は、複数のＩＣタグ付き玩具３０（ＩＣタグ付き物品）をケース１０に収納して、リーダライタ２０の上に載せることにより、それぞれのＩＣタグ付き玩具３０に記憶された情報を、リーダライタ２０で一括して読み取るように構成されたシステムである。リーダライタ２０で読み取られた情報は、例えば、ゲーム機本体（不図示）に送信される。なお、リーダライタ２０で情報を読み取った後のＩＣタグ付き玩具３０は、ケース１０から取り出してゲームで使うこともできるし、ケース１０に保持したままゲームで使うこともできる。
【００２０】
ＩＣタグ付き玩具３０は、例えば、ゲームのキャラクターが描かれたチップ形の物品である。図１に示すように、ＩＣタグ付き玩具３０には、第１アンテナＡＴ１及びＩＣチップ（不図示）が内蔵されている。第１アンテナＡＴ１は、例えば、ＮＦＣ（Ｎｅａｒ  Ｆｉｅｌｄ  Ｃｏｍｍｕｎｉｃａｔｉｏｎ）規格帯の電磁波により情報を送受信可能なループアンテナである。ＩＣチップは、ループアンテナを介して、リーダライタ２０との間で情報の送受信を行う。ＩＣチップは、ＣＰＵ、メモリ等（いずれも不図示）により構成される。ＩＣチップのメモリには、ＩＣタグ付き玩具３０を識別するＩＤ情報（認証情報）、ＩＣタグ付き玩具３０に割り当てられたゲームのキャラクターに関する情報、ゲームの進行状況等に応じて変わる各種の情報が記憶されている。なお、本実施形態では、図１に示すように、ケース１０の内部に５枚のＩＣタグ付き玩具３０を収納する例について説明するが、ケース１０に収納されるＩＣタグ付き玩具３０の枚数は、これに限定されない。
【００２１】
図１に示すように、第１実施形態の読み取り装置１は、ケース１０と、リーダライタ２０と、を備える。
ケース１０は、ＩＣタグ付き玩具３０を保持する構造体である。ケース１０は、全体が球体形状に形成された部材であり、上下方向（Ｙ方向）の中央で２分割されている。ケース１０は、下側（Ｙ２側）となる第１ケース１１と、上側（Ｙ１側）となる第２ケース１２と、収納部１３と、から構成される。
【００２２】
また、図示していないが、第１ケース１１の外縁部１１ａの外周側には、円周方向に沿って雄ねじが設けられている。また、第２ケース１２の外縁部１２ａの内周側には、円周方向に沿って雌ねじが設けられている。そのため、第１ケース１１の外縁部１１ａと第２ケース１２の外縁部１２ａとを向い合せて係合させ、互いに時計回りに回転させることにより、第１ケース１１と第２ケース１２とを一体化できる。本実施形態では、図２（Ａ）に示すように、ケース１０において、第１ケース１１と第２ケース１２との合わせ目となる線を分割線Ｄとして説明する。
【００２３】
第１ケース１１は、複数のＩＣタグ付き玩具３０が収納される部分である。第１ケース１１には、収納部１３が設けられている。収納部１３は、複数のＩＣタグ付き玩具３０を、それぞれの第１アンテナＡＴ１がリーダライタ２０の第２アンテナＡＴ２（後述）に対して略平行となるように保持する部分である。なお、略平行とは、ＩＣタグ付き玩具３０の第１アンテナＡＴ１とリーダライタ２０の第２アンテナＡＴ２との間で情報の送受信が可能な物理的な位置関係を意味する。そのため、第１アンテナＡＴ１が第２アンテナＡＴ２に対して平行、或いはほぼ平行とみなせる場合だけでなく、第１アンテナＡＴ１が第２アンテナＡＴ２に対して傾いていても、両者は物理的に略平行とみなすことができる。
【００２４】
本実施形態の収納部１３は、半球形の第１ケース１１に設けられた箱枠形の窪みである。収納部１３の縦、横、高さは、５枚のＩＣタグ付き玩具３０を積み重ねて収納できる寸法に設定されている。ケース１０は、全体が球体形状に形成されているため、図２（Ａ）に示すように、第１ケース１１の底面部１１ｂは、曲面形状となる。
【００２５】
図２（Ａ）に示すように、収納部１３の底面には、ＩＣタグ（識別情報記憶部）１４が設けられている。ＩＣタグ１４には、ＩＣタグ付き玩具３０を識別するための情報（例えば、ユーザＩＤ等）が記憶されている。ＩＣタグ１４は、ＩＣタグ付き玩具３０と同様に、ＮＦＣ規格帯の電磁波により情報を送受信可能なループアンテナ（不図示）を備えている。ＩＣタグ１４に記憶された情報は、複数のＩＣタグ付き玩具３０の情報と共にリーダライタ２０に読み取られる。これによりゲーム機本体は、どの遊技者が、どの種類のＩＣタグ付き玩具３０を何枚保持しているかを認識できる。また、ケース１０にＩＣタグ１４を設けることにより、ケース１０をゲームに用いられるプレイヤーカードの代わりとして使用できたり、ゲーム内容の幅を広げたりできる。
【００２６】
収納部１３の底面にＩＣタグ１４を設けることにより、ＩＣタグ１４を、収納部１３に保持された複数のＩＣタグ付き玩具３０と同じ位置、姿勢に保つことができる。なお、本実施形態では、ＩＣタグ１４を収納部１３の底面に設けた例を示すが、ＩＣタグ１４は、収納部１３に保持されたＩＣタグ付き玩具３０とほぼ同じ位置、姿勢を保つことができれば、ケース１０のどこに設けられていてもよい。
【００２７】
第２ケース１２は、第１ケース１１に収納されたＩＣタグ付き玩具３０を覆う部分である。第２ケース１２は、断面が略凹形となる半球状に構成されている。そのため、第１ケース１１と第２ケース１２とを一体化したケース１０において、第１ケース１１は、第２ケース１２よりも相対的に重くなる。すなわち、ケース１０の重心は、第１ケース１１側に位置する。したがって、複数枚のＩＣタグ付き玩具３０を収納したケース１０を、ケース１０の分割線Ｄがリーダライタ２０の読取面（平坦面）２１に対して傾くような姿勢で載せても、重心の移動によりケース１０が回転して、第１ケース１１が下側（Ｙ２側）に移動する。この移動により、ケース１０の内部において、ＩＣタグ付き玩具３０の第１アンテナＡＴ１及びＩＣタグ１４のアンテナ（不図示）は、リーダライタ２０の第２アンテナＡＴ２に対してほぼ水平となる。そのため、図２（Ｂ）に示す状態において、リーダライタ２０による情報の読み取りが可能となる。
【００２８】
上述したように、本実施形態のケース１０は、リーダライタ２０の読取面２１の上に載せることにより、姿勢のずれが自動的に修正される。また、ケース１０が回転した際に、ケース１０がリーダライタ２０の読取面２１から外れた場合には、ケース１０を手で持ち上げてリーダライタ２０の読取面２１の上に戻せばよい。その際に、ケース１０の分割線Ｄが読取面２１とほぼ平行となるようにケース１０を置けば、再びケース１０がリーダライタ２０の読取面２１から外れることを抑制できる。
【００２９】
なお、リーダライタ２０の第２アンテナＡＴ２に対して、ＩＣタグ付き玩具３０の第１アンテナＡＴ１が水平となる場合であっても、通信状況等によっては、情報が正しく読み取れないことがある。ＩＣタグ付き玩具３０から情報の読み取りが出来たか否かは、ゲーム機本体（不図示）において確認できる。そのため、遊技者は、ＩＣタグ付き玩具３０から情報の読み取りが出来ない場合には、手を使ってケース１０を揺らして両方のアンテナの位置関係を調節することにより、ＩＣタグ付き玩具３０から情報の読み取りを行うことができる。
【００３０】
ケース１０を構成する第１ケース１１及び第２ケース１２は、例えば、ポリカーボネート、アクリル樹脂等のプラスチック材料により形成される。第１ケース１１及び第２ケース１２は、透明でもよいし、着色されていてもよい。また、第１ケース１１及び第２ケース１２は、表面に絵柄、模様等の意匠が形成されていてもよい。例えば、第１ケース１１を第２ケース１２とは異なる色で着色すれば、第１ケース１１の底面部１１ｂをリーダライタ２０の読取面２１の上に正しい姿勢で載せるための目印とすることができる。
【００３１】
リーダライタ２０は、ＩＣタグ付き玩具３０との間で非接触により情報を送受信する、ＮＦＣ規格に対応したリーダライタである。リーダライタ２０とＩＣタグ付き玩具３０との間の通信は、例えば、ＮＦＣ規格ＩＳＯ／ＩＥＣ１８０２（ＮＦＣ  ＩＰ−１）、ＩＳＯ／ＩＥＣ１４８１（ＮＦＣ  ＩＰ−２）に基づいて、１３．５６ＭＨｚの電磁波を利用して行われる。リーダライタ２０とＩＣタグ付き玩具３０との間の通信は、数ｍｍ〜数１０ｃｍ程度の距離で可能となる。
【００３２】
複数のＩＣタグ付き玩具３０を保持したケース１０がリーダライタ２０の読取面２１の上に置かれると、リーダライタ２０と各ＩＣタグ付き玩具３０との間は、およそ２〜１０ｃｍ程度の距離となる。これにより、リーダライタ２０とＩＣタグ付き玩具３０との間で電磁誘導による情報の送受信が行われ、ＩＣタグ付き玩具３０のＩＣチップに記憶された各種の情報がリーダライタ２０に読み取られる。
【００３３】
次に、第１実施形態における読み取り装置１の使用方法について説明する。
まず、遊技者は、図３（Ａ）に示すように、所定枚数（本例では５枚）のＩＣタグ付き玩具３０を、第１ケース１１（ケース１０）の収納部１３に積み重ねるようにして収納する。ＩＣタグ付き玩具３０を第１ケース１１に収納する作業及び後述する第１ケース１１と第２ケース１２とを一体化する作業は、リーダライタ２０の読取面２１の上で行ってもよいし、リーダライタ２０から離れた位置で行ってもよい。
【００３４】
次に、図３（Ｂ）に示すように、第１ケース１１の外縁部１１ａと第２ケース１２の外縁部１２ａとを向い合せて係合させ、互いに時計回りに回転させて、第１ケース１１と第２ケース１２とを一体化する。
次に、複数のＩＣタグ付き玩具３０を保持したケース１０をリーダライタ２０の読取面２１の上に載せる。このとき、図３（Ｃ）に示すように、ケース１０を、第１ケース１１の底面部１１ｂがリーダライタ２０の読取面２１と対向するようにリーダライタ２０の上に載せる。これにより、図２（Ｂ）に示すように、ケース１０に保持されたすべてのＩＣタグ付き玩具３０の第１アンテナＡＴ１及びＩＣタグ１４のアンテナ（不図示）が、リーダライタ２０の第２アンテナＡＴ２とほぼ水平となるため、リーダライタ２０による読み取りが可能となる。なお、図２（Ｂ）では、図を見やすくするため、各アンテナを実線で示している。
【００３５】
上述した第１実施形態のケース１０において、複数のＩＣタグ付き玩具３０は、それぞれの第１アンテナＡＴ１がリーダライタ２０の第２アンテナＡＴ２に対して略平行となるように収納部１３に保持される。そのため、第１実施形態のケース１０は、収納された複数のＩＣタグ付き玩具３０のすべてを、リーダライタ２０に対して読み取り可能な位置、姿勢に保持できる。したがって、第１実施形態のケース１０においては、収納された複数のＩＣタグ付き玩具３０に記憶されている情報の読み取りを一括して行うことができる。
【００３６】
第１実施形態のケース１０は、リーダライタ２０と対向する底面部１１ｂが曲面形状であるため、ケース１０の分割線Ｄがリーダライタ２０の読取面２１に対して傾くような姿勢で載せても、重心の移動によりケース１０が回転して、第１ケース１１が下側（Ｙ２側）に移動する。すなわち、第１実施形態のケース１０は、リーダライタ２０の読取面２１の上に載せたときの姿勢のずれを自動的に修正できる。また、リーダライタ２０の読取面２１の上において、ケース１０の姿勢が適切であっても、ＩＣタグ付き玩具３０から情報を正しく読み取れない場合には、手を使ってケース１０を揺らして両方のアンテナの位置関係を調節することにより、ＩＣタグ付き玩具３０から情報の読み取りを行うことができる。
【００３７】
（第２実施形態）
第２実施形態のケース１０は、収納部１３Ａの構成が第１実施形態と相違する。第２実施形態のケース１０において、その他の構成は、第１実施形態と同じである。そのため、第２実施形態の説明及び図面において、第１実施形態と同等の部材等には、第１実施形態と同一の符号を付し、重複する説明を省略する。
【００３８】
図４は、第２実施形態における読み取り装置１Ａの斜視図である。図４では、ケース１０に設けられた重り１６（後述）の図示を省略している。図５は、読み取り装置１Ａを構成するケース１０及びリーダライタ２０の側面図である。図５（Ａ）は、ケース１０にＩＣタグ付き玩具３０を収納する前の状態を示している。図５（Ｂ）は、ケース１０にＩＣタグ付き玩具３０を収納した状態を示している。図５（Ｃ）は、ＩＣタグ付き玩具３０を収納したケース１０を更に回転させた状態を示している。図６（Ａ）及び（Ｂ）は、読み取り装置１ＡにＩＣタグ付き玩具３０を収納する手順を説明する図である。
【００３９】
図４に示すように、第２実施形態の第１ケース１１において、収納部１３Ａは、５つの差し込み溝１５を備えた箱枠形の容器として構成されている。収納部１３Ａの各差し込み溝１５にＩＣタグ付き玩具３０を挿入すると、５つのＩＣタグ付き玩具３０は、それぞれ所定の間隔で保持される。すなわち、隣接するＩＣタグ付き玩具３０の間には、所定の隙間が形成される。
【００４０】
また、図５（Ａ）に示すように、収納部１３Ａの一方の側面には、ＩＣタグ１４が設けられている。ＩＣタグ１４は、自身のループアンテナ（不図示）が、収納部１３Ａに保持されたＩＣタグ付き玩具３０のループアンテナ（不図示）と平行となるように設けられている。これにより、ＩＣタグ１４を、収納部１３Ａに保持された複数のＩＣタグ付き玩具３０と同じ位置、姿勢に保つことができる。
【００４１】
第２実施形態の第１ケース１１及び第２ケース１２には、図５（Ａ）に示すように、重り１６が設けられている。重り１６は、収納部１３Ａに収納された複数のＩＣタグ付き玩具３０が、リーダライタ２０の第２アンテナＡＴ２に対して略平行となるように、ケース１０の姿勢を調整する部材（姿勢調整部材）である。重り１６は、分割線Ｄを間に挟んで、第１ケース１１及び第２ケース１２にそれぞれ設けられている。なお、重り１６は、第１ケース１１又は第２ケース１２のいずれか一方に設けられていてもよい。重り１６は、アンテナ間で情報を送受信する電磁波に影響を与えないようにするため、例えば、石材、粘土等の非金属材料により構成されることが望ましい。なお、通信特性を著しく劣化させるような形状、大きさ、配置としなければ、重り１６として金属材料を用いてもよい。重り１６として金属材料を用いる場合、通信への影響を少なくするため、例えば、金属で構成される部分を小さくしたり、ケース内に部分的に配置したりしてもよい。また、金属で構成される部分にスリットを設けた構成としてもよい。
【００４２】
次に、第２実施形態における読み取り装置１Ａの使用方法について説明する。
まず、遊技者は、図６（Ａ）に示すように、所定枚数（本例では５枚）のＩＣタグ付き玩具３０を、第１ケース１１（ケース１０）の収納部１３Ａに設けられた各差し込み溝１５に収納する。ＩＣタグ付き玩具３０を第１ケース１１に収納する作業及び後述する第１ケース１１と第２ケース１２とを一体化する作業は、リーダライタ２０の読取面２１の上で行ってもよいし、リーダライタ２０から離れた位置で行ってもよい。
【００４３】
次に、図６（Ｂ）に示すように、第１ケース１１の外縁部１１ａと第２ケース１２の外縁部１２ａとを向い合せて係合させ、互いに時計回りに回転させることにより、第１ケース１１と第２ケース１２とを一体化する。ケース１０を、図６（Ｂ）に示すような姿勢でリーダライタ２０の読取面２１の上に置き、ＩＣタグ付き玩具３０を第１ケース１１に収納する作業を行った場合、図５（Ｂ）に示すように、ケース１０に保持されたすべてのＩＣタグ付き玩具３０の第１アンテナＡＴ１及びＩＣタグ１４のアンテナ（不図示）は、リーダライタ２０の第２アンテナＡＴ２に対してほぼ垂直となる。そのため、図５（Ｂ）に示す状態では、リーダライタ２０による読み取りはできない。
【００４４】
そのため、図５（Ｂ）に示す状態において、遊技者がケース１０から手を離すと、重り１６による重心の移動によりケース１０が９０°回転（この場合は時計回りに９０°回転）して、図５（Ｃ）に示すように、ケース１０の分割線Ｄがリーダライタ２０の読取面２１とほぼ垂直な位置に移動する。この移動により、ケース１０の内部において、ＩＣタグ付き玩具３０の第１アンテナＡＴ１及びＩＣタグ１４のアンテナ（不図示）は、リーダライタ２０の第２アンテナＡＴ２に対してほぼ水平となる。そのため、図５（Ｃ）に示す状態において、リーダライタ２０による情報の読み取りが可能となる。なお、図５（Ｃ）は、９０°時計回りに回転させたケース１０を、リーダライタ２０において、図５（Ｂ）と同じ位置に戻した状態を示している。また、遊技者は、図５（Ｂ）に示す状態において、自身の手でケース１０を時計回りに９０°回転させることにより、ケース１０を図５（Ｃ）に示すような姿勢に修正してもよい。
【００４５】
上述した第２実施形態のケース１０においても、第１実施形態と同じく、収納された複数のＩＣタグ付き玩具３０のすべてを、リーダライタ２０に対して読み取り可能な位置、姿勢に保持できるため、収納された複数のＩＣタグ付き玩具３０に記憶されている情報の読み取りを一括して行うことができる。
【００４６】
また、第２実施形態の収納部１３Ａにおいて、複数のＩＣタグ付き玩具３０は、それぞれ所定の間隔で保持されるため、隣接するＩＣタグ付き玩具３０との間の電波干渉を減らすことができる。そのため、第２実施形態のケース１０は、リーダライタ２０における読み取りの精度を向上させることができる。なお、第１実施形態において、ＩＣタグ付き玩具３０が重なり合う面に突起を設けることにより、第２実施形態と同様に、複数のＩＣタグ付き玩具３０を、それぞれ所定の間隔で保持させることができる。
【００４７】
以上、本発明の実施形態について説明したが、本発明は、前述した実施形態に限定されるものではなく、後述する変形形態のように種々の変形や変更が可能であって、それらも本発明の技術的範囲内に含まれる。また、実施形態に記載した効果は、本発明から生じる最も好適な効果を列挙したに過ぎず、実施形態に記載したものに限定されない。なお、上述の実施形態及び後述する変形形態は、適宜に組み合わせて用いることもできるが、詳細な説明は省略する。以下の説明において、第１及び第２実施形態に共通な構成については、単に「実施形態」と記載する。
【００４８】
（変形形態）
実施形態では、ケース１０を球体形状とした例について説明したが、ケース１０は、例えば、楕円体形状であってもよい。ケース１０は、少なくともリーダライタ２０と対向する底面が曲面形状であれば、それ以外の部分は、例えば、多角形状であってもよい。また、ケース１０の表面に突起又は窪みを設けてもよい。突起又は窪みは、ケース１０の表面の全体に設けてもよいし、部分的に設けてもよい。
実施形態では、ケース１０を球体形状とした例について説明したが、ケース１０は、半球体形状であってもよい。その場合、第２ケース１２を円盤状として、第１ケース１１を覆うようにしてもよいし、第２ケース１２を省略した構成としてもよい。
【００４９】
実施形態では、第１ケース１１と第２ケース１２にそれぞれ設けた雄ねじと雌ねじとを係合させることにより、第１ケース１１及び第２ケース１２を一体化する構成について説明したが、これに限定されない。この他の構成として、例えば、一方のケースの外縁部に凹部、他方のケースの外縁部に凸部をそれぞれ設け、この凹部と凸部とを嵌め合わせることにより、第１ケース１１と第２ケース１２とを一体化してもよい。また、第１ケース１１及び第２ケース１２を、蝶番により開閉可能に連結した構成としてもよい。
【００５０】
実施形態では、リーダライタ２０の読取面２１を平坦面として説明したが、読取面２１は、すり鉢状であってもよいし、傾斜面であってもよい。読取面２１をすり鉢状や傾斜面とすることにより、リーダライタ２０の上に載せたケース１０を、自重により所定の方向に転がすことができる。また、読取面２１の上に突起又は窪みを設けて、ケース１０の読み取り位置、読み取り方向を調整するようにしてもよい。更に、ケース１０の形状に合わせた溝や突起を有する設置台を、ケース１０とリーダライタ２０との間に設けてもよい。このような設置台を設けることにより、ケース１０の設置場所や設置方向を意図的に調整することができる。
【００５１】
実施形態では、ＩＣタグ付き玩具３０の第１アンテナＡＴ１及びリーダライタ２０の第２アンテナＡＴ２を、それぞれループアンテナとした例について説明したが、第１アンテナＡＴ１及び第２アンテナ３１は、例えば、ヘリカルアンテナであってもよい。
実施形態では、ＩＣタグ付き玩具３０を識別するための識別情報記憶部として、ＩＣタグ１４を設けた例について説明したが、識別情報記憶部は、例えば、一次元又は二次元のバーコードであってもよい。これら一次元又は二次元のバーコードは、ケース１０の表面に印字してもよいし、シールとしてケース１０の表面に貼り付けてもよい。
【００５２】
第２実施形態の収納部１３Ａにおいて、差し込み溝１５を、ＩＣタグ付き玩具３０を第１ケース１１に対して斜め方向から差し込む構成としてもよい。また、収納部１３Ａを、第１ケース１１の複数箇所に設けた構成としてもよい。
【符号の説明】
【００５３】
１、１Ａ    読み取り装置
１０    ケース
１１    第１ケース
１２    第２ケース
１３、１３Ａ    収納部
１５    差し込み溝
１６    重り
２０    リーダライタ
２１    読取面
３０    ＩＣタグ付き玩具
ＡＴ１    第１アンテナ
ＡＴ２    第２アンテナ
【図１】
2020077114.tif 000003
【図２】
2020077114.tif 000004
【図３】
2020077114.tif 000005
【図４】
2020077114.tif 000006
【図５】
2020077114.tif 000007
【図６】
2020077114.tif 000008